(57)【要約】【課題】形状精度の高いダハミラーを有するプラスチック光学部品を提供する。【解決手段】部品本体に形成され、互いに直角をなす一対の平面部２０Ａ，２０Ｂと、部品本体に一体に形成され、一対の平面部２０Ａ，２０Ｂの一端に位置する鍔部３０と、一対の平面部２０Ａ，２０Ｂで形成される谷側の面に形成されたダハミラー１０とを備えるプラスチック光学部品において、一対の平面部２０Ａ，２０Ｂによって形成される谷部ＶＬの一端に鍔部３０を超えて延びる延長部４０を形成し、鍔部３０近傍に形状誤差が発生しないようにした。【選択図】        図１
2004325696.tif 000002
【特許請求の範囲】
【請求項１】
部品本体に形成され、互いに直角をなす一対の平面部と、前記部品本体に一体に形成され、前記一対の平面部の一端に位置する鍔部と、前記一対の平面部で形成される谷側の面に形成されたダハミラーとを備えるプラスチック光学部品において、
前記一対の平面部によって形成される谷部の一端が前記鍔部を超えて延びるように前記部品本体に延長部が一体に成形されていることを特徴とするプラスチック光学部品。
【発明の詳細な説明】
【０００１】
【発明の属する技術分野】
この発明はプラスチック光学部品に関する。
【０００２】
【従来の技術】
従来、複数の反射面を組み合わせてプリズムと同じ光路構成にしたプラスチック光学部品が知られている。プリズムは光学ガラスの表面の全反射を利用して複数の反射面で光路を構成したものであるため、プラスチック光学部品のプリズムの反射面に対応する位置にミラー面等の反射面を形成することによって、プリズムを用いたときと同様の光学作用を得ることができる。
【０００３】
図４は従来のプラスチック光学部品の斜視図、図５はその断面図である。
【０００４】
プラスチック光学部品は、互いに直角をなす一対の平面部１２０Ａ，１２０Ｂと、一対の平面部の一端に形成された鍔部１３０と、一対の平面部１２０Ａ，１２０Ｂで形成される谷側の面に形成されたダハミラーＲｆとを備える。
【０００５】
プラスチック光学部品は射出成形によって一体に成形される。このプラスチック光学部品は図５の位置Ｐと対応する位置に設けられた金型（図示せず）のゲートから溶融樹脂を充填することで製作される。
【０００６】
一対の平面部１２０Ａ，１２０Ｂで形成される谷側の面がなす角は直角である。一対の平面部１２０Ａ，１２０Ｂで形成される谷側の面には銀等の金属膜を蒸着して反射面とすることによってダハミラーが形成されている。
【０００７】
鍔部１３０はレンズ等の光学部品の位置決め、固定、埃の侵入を防ぐ遮蔽壁等として使用される。
【０００８】
【特許文献】
特開平１１−２４１３４号公報
【０００９】
【発明が解決しようとする課題】
ところで、このプラスチック光学部品を例えば一眼レフカメラのファインダとして使用した場合、一対の平面部１２０Ａ，１２０Ｂによって形成される谷部ＶＬは視野の中央に位置するため、谷部ＶＬの両側にある反射面がなす角を精密に形成する必要がある。
【００１０】
しかし、このプラスチック光学部品では谷部ＶＬの終端部（鍔部１３０側）で溶融樹脂の流れる方向が変わり、谷部ＶＬの終端部と中間部とでは溶融樹脂の収縮率に差が生じるため、谷部ＶＬにゆがみが生じる。
【００１１】
そのため、鍔部１３０側の終端部で谷部ＶＬの形状誤差が発生し、終端部の頂角が正確に９０°にならず、ダハミラーの頂角を正確に９０°にすることができない。
【００１２】
このようなプラスチック光学部品を例えば一眼レフカメラのファインダとして使用した場合、頂角部を通る光線の反射が異常となり、ファインダ内の被写体像が欠落したり（頂角が９０°より小さい場合）、ファインダ内の被写体像が二重に見えたりする（頂角が９０°より大きい場合）。
【００１３】
この発明はこのような事情に鑑みてなされたもので、その課題は形状精度の高いダハミラーを有するプラスチック光学部品を提供することである。
【００１４】
【課題を解決するための手段】
前述の課題を解決するため請求項１記載の発明は、部品本体に形成され、互いに直角をなす一対の平面部と、前記部品本体に一体に形成され、前記一対の平面部の一端に位置する鍔部と、前記一対の平面部で形成される谷側の面に形成されたダハミラーとを備えるプラスチック光学部品において、前記一対の平面部によって形成される谷部の一端が前記鍔部を超えて延びるように前記部品本体に延長部が一体に成形されていることを特徴とする。
【００１５】
【発明の実施の形態】
以下この発明の実施の形態を図面に基づいて説明する。
【００１６】
図１はこの発明の一実施形態に係るプラスチック光学部品の斜視図である。
【００１７】
プラスチック光学部品は、一対の平面部２０Ａ，２０Ｂと、鍔部３０と、ダハミラー１０（後述）と、延長部４０とを備える。
【００１８】
プラスチック光学部品は下部と前部（図１の左側）とを開放した形状の筐体である。
【００１９】
一対の平面部２０Ａ，２０Ｂが形成された部品本体にはＬ字形断面の鍔部３０が一体に成形されている。鍔部３０は一対の平面部２０Ａ，２０Ｂの一端（プラスチック光学部品の後部）に位置する。
【００２０】
プラスチック光学部品の後部に配置されるレンズ等の光学部品と同一光学系にプラスチック光学部品を組み入れるとき、鍔部３０はレンズ等の光学部品の位置決めの基準位置として使用されるとともに、レンズ等の光学部品の固定、埃の侵入を防ぐ遮蔽壁等として使用される。
【００２１】
延長部４０はプラスチック光学部品の後部を塞ぐ後部平面部２０Ｄに設けられた開口部２１の縁に沿って山形に形成されている。なお、この延長部４０には反射面は形成されていない。
【００２２】
図２は図１のＡ矢視図である。
【００２３】
プラスチック光学部品の部品本体は谷部と側面部とを有する。
【００２４】
谷部ＶＬは第１の平面部２０Ａと第２の平面部２０Ｂとで構成される。対となる第１の平面部２０Ａと第２の平面部２０Ｂとはそれぞれほぼ台形である。第１の平面部２０Ａと第２の平面部２０Ｂとに接する第３の平面部２０Ｃはほぼ二等辺三角形であり、第１の平面部２０Ａ及び第２の平面部２０Ｂの前部に連なる。
【００２５】
第１の平面部２０Ａと第２の平面部２０Ｂとによって形成される谷側の面にはそれぞれ銀等の金属膜を蒸着して反射面１０Ａ，１０Ｂが形成されている。反射面１０Ａと反射面１０Ｂとは９０°をなしているため、一対の反射面１０Ａ，１０Ｂによってダハミラー１０が構成される。
【００２６】
プラスチック光学部品の側面部は、第１の平面部２０Ａ及び第２の平面部２０Ｂの一端に連結された後部平面部２０Ｄと、前後方向へ延びる第１の側部平面部２０Ｅと第２の側部平面部２０Ｆとを有する。後部平面部２０Ｄには前述したように開口部２１が形成されている。
【００２７】
第１の側部平面部２０Ｅは第１の平面部２０Ａに連なり、第２の側部平面部２０Ｆは第２の平面部２０Ｂに連なる。
【００２８】
図３はこの発明の一実施形態に係るプラスチック光学部品の断面図である。
【００２９】
延長部４０は一対の平面部２０Ａ，２０Ｂによって形成される谷部ＶＬの一端を鍔部３０を超えて延ばして形成されている。なお、山形の延長部４０の頂部ＳＰ（図１参照）が稜線の近傍に位置する。
【００３０】
延長部４０は射出成形によって部品本体と一体に製作される。このとき、延長部４０が溶融樹脂の流動の終端部になるため、谷部ＶＬの端部（鍔部３０の近傍）と中間部（鍔部３０の近傍以外の部分）との間で溶融樹脂の収縮率の差に起因する形状誤差が発生せず、端部の頂角（一対の平面部２０Ａ，２０Ｂで形成される谷側の面がなす角）を正確に９０°にすることができる。
【００３１】
この実施形態によれば、一対の平面部２０Ａ，２０Ｂで形成される頂角を正確に９０°にできるため、形状精度の高いダハミラーを有するプラスチック光学部品を得ることができる。
【００３２】
このプラスチック光学部品は前部に反射面を有する前部平面部（図示せず）を設け、例えば一眼レフカメラのファインダとして使用される。
【００３３】
プラスチック光学部品の下方の焦点板等から入射してくる光（図２の場合、紙面を表面から裏面へ貫く方向の光）はダハミラー１０で反射され、更にこのダハミラー１０で反射された光は前記前部平面部の反射面によって後方（図２の右側）の接眼部へ導かれる。
【００３４】
このとき、ダハミラー１０の頂角は一対の平面部２０Ａ，２０Ｂによって形成される谷部ＶＬのどこであっても高い精度の直角度を有するので、頂角部を通る光線の反射が異常となることがない。
【００３５】
すなわち、ファインダ内の被写体像が欠落したり、ファインダ内の被写体像が二重に見えたりしたりすることがない。
【００３６】
【発明の効果】
以上に説明したようにこの発明のプラスチック光学部品によれば、形状精度の高いダハミラーを有するプラスチック光学部品を提供することができる。
【図面の簡単な説明】
【図１】図１はこの発明の一実施形態に係るプラスチック光学部品の斜視図である。
【図２】図２は図１のＡ矢視図である。
【図３】図３はこの発明の一実施形態に係るプラスチック光学部品の断面図である。
【図４】図４は従来のプラスチック光学部品の斜視図である。
【図５】図５は従来のプラスチック光学部品の断面図である。
【符号の説明】
１０  ダハミラー
２０Ａ，２０Ｂ  平面部
３０  鍔部
４０  延長部
ＶＬ  谷部
【図１】
2004325696.tif 000003
【図２】
2004325696.tif 000004
【図３】
2004325696.tif 000005
【図４】
2004325696.tif 000006
【図５】
2004325696.tif 000007